(57)【要約】【課題】レース中継の見逃しを防止する。【解決手段】発走時刻通知システムは、会員端末と、発走時刻通知サーバと、投票実績管理サーバと、公営競技情報管理サーバとを備え、発走時刻通知サーバは、会員の発走時刻通知条件が記憶される通知条件記憶部と、投票実績管理サーバから会員の投票実績データを取得する投票実績データ取得部と、公営競技情報管理サーバから公営競技情報を取得する公営競技情報取得部と、取得された会員の投票実績データと取得された公営競技情報とに基づいて、当回レースが、通知条件記憶部に記憶された会員の発走時刻通知条件に合致するか否かを判定する条件判定部と、条件判定部による判定の結果、当回レースが、通知条件記憶部に記憶された会員の発走時刻通知条件に合致する場合は、会員が使用する会員端末に、当回レースの発走時刻を通知する通知部とを備える。【選択図】図２
2019079393.tif 000002
【特許請求の範囲】
【請求項１】
公営競技の発走時刻を通知する発走時刻通知システムであって、
会員が使用する会員端末と、
前記発走時刻を通知する発走時刻通知サーバと、
前記会員の投票実績データを管理する投票実績管理サーバと、
公営競技情報を管理する公営競技情報管理サーバと、
を備え、
前記発走時刻通知サーバは、
前記会員の発走時刻通知条件が記憶される通知条件記憶部と、
前記投票実績管理サーバから前記会員の投票実績データを取得する投票実績データ取得部と、
前記公営競技情報管理サーバから前記公営競技情報を取得する公営競技情報取得部と、
前記投票実績データ取得部により取得された前記会員の投票実績データと前記公営競技情報取得部により取得された前記公営競技情報とに基づいて、当回レースが、前記通知条件記憶部に記憶された前記会員の発走時刻通知条件に合致するか否かを判定する条件判定部と、
前記条件判定部による判定の結果、当回レースが、前記通知条件記憶部に記憶された前記会員の発走時刻通知条件に合致する場合は、前記会員が使用する会員端末に、当回レースの発走時刻を通知する通知部と、
を備える、
ことを特徴とする発走時刻通知システム。
【請求項２】
前記通知部は、前記通知を電子メールにより行う、
ことを特徴とする請求項１記載の発送時刻通知システム。
【請求項３】
前記公営競技は競馬であって、
前記会員の発走時刻通知条件は、出走馬名の指定、出場騎手名の指定、レースのグレードの指定、投票金額の指定、配当予想に関する指定、発走時刻通知時期の指定、及び投票レースの指定の１つ以上を含む、
ことを特徴とする請求項１又は２記載の発送時刻通知システム。
【請求項４】
公営競技の発走時刻を通知する発走時刻通知サーバであって、
会員の発走時刻通知条件が記憶される通知条件記憶部と、
前記会員の投票実績データを取得する投票実績データ取得部と、
公営競技情報を取得する公営競技情報取得部と、
前記投票実績データ取得部により取得された前記会員の投票実績データと前記公営競技情報取得部により取得された前記公営競技情報とに基づいて、当回レースが、前記通知条件記憶部に記憶された前記会員の発走時刻通知条件に合致するか否かを判定する条件判定部と、
前記条件判定部による判定の結果、当回レースが、前記通知条件記憶部に記憶された前記会員の発走時刻通知条件に合致する場合は、前記会員が使用する会員端末に、当回レースの発走時刻を通知する通知部と、
を備えることを特徴とする発走時刻通知サーバ。
【請求項５】
会員が使用する会員端末と、公営競技の発走時刻を通知する発走時刻通知サーバと、前記会員の投票実績データを管理する投票実績管理サーバと、公営競技情報を管理する公営競技情報管理サーバと、を備える発走時刻通知システムにおいて実行される発走時刻通知方法であって、
前記発走時刻通知サーバは、
前記会員の発走時刻通知条件を通知条件記憶部に記憶し、
前記投票実績管理サーバから前記会員の投票実績データを取得し、
前記公営競技情報管理サーバから前記公営競技情報を取得し、
前記会員の投票実績データと前記公営競技情報とに基づいて、当回レースが、前記通知条件記憶部に記憶された前記会員の発走時刻通知条件に合致するか否かを判定し、
前記判定の結果、当回レースが、前記通知条件記憶部に記憶された前記会員の発走時刻通知条件に合致する場合は、前記会員が使用する会員端末に、当回レースの発走時刻を通知する、
ことを特徴とする発走時刻通知方法。
【発明の詳細な説明】
【技術分野】
【０００１】
本発明は、公営競技（競馬、競輪、競艇、オートレース等）の発走時刻を通知する発走時刻通知システム、発走時刻通知サーバ、及び発走時刻通知方法に関する。
【背景技術】
【０００２】
近年、公営競技の投票は、公営競技場や場外発売所へ行かなくても、インターネットを利用して行うことができる。この場合は、インターネットに接続されたスマートフォン、携帯電話機、又はＰＣ（Personal Computer）等の端末を使用して投票が行われる（例えば特許文献１参照）。このような投票方法は、インターネット投票と呼ばれる。
【０００３】
インターネット投票は、公営競技場や場外発売所以外の場所で行うことができるので、インターネット投票を行った者は、投票したレースの中継をテレビ放送、ラジオ放送、又はインターネット配信動画等で視聴してレース観戦を行う場合が多い。
【先行技術文献】
【特許文献】
【０００４】
【特許文献１】特開２００６−１５５５７４号公報
【発明の概要】
【発明が解決しようとする課題】
【０００５】
インターネット投票は、例えばレース開催日の前日といったように、事前に行うことができる。そのため、事前にインターネット投票を行った者は、投票したレースの発走時刻を忘却してレース中継を見逃してしまう場合があった。
【０００６】
また、公営競技のファンが、お気に入りの馬、騎手、選手等が出場するレースの中継を、テレビ放送、ラジオ放送、又はインターネット配信動画等で視聴する場合にも同様に、レースの発走時刻を忘却してレース中継を見逃してしまう場合があった。
【０００７】
本発明は、上記実状に鑑み、レース中継の見逃しを防止することができる発走時刻通知システム、発走時刻通知サーバ、及び発走時刻通知方法を提供することを目的とする。
【課題を解決するための手段】
【０００８】
システムの一観点は、公営競技の発走時刻を通知する発走時刻通知システムであって、会員が使用する会員端末と、前記発走時刻を通知する発走時刻通知サーバと、前記会員の投票実績データを管理する投票実績管理サーバと、公営競技情報を管理する公営競技情報管理サーバと、を備え、前記発走時刻通知サーバは、前記会員の発走時刻通知条件が記憶される通知条件記憶部と、前記投票実績管理サーバから前記会員の投票実績データを取得する投票実績データ取得部と、前記公営競技情報管理サーバから前記公営競技情報を取得する公営競技情報取得部と、前記投票実績データ取得部により取得された前記会員の投票実績データと前記公営競技情報取得部により取得された前記公営競技情報とに基づいて、当回レースが、前記通知条件記憶部に記憶された前記会員の発走時刻通知条件に合致するか否かを判定する条件判定部と、前記条件判定部による判定の結果、当回レースが、前記通知条件記憶部に記憶された前記会員の発走時刻通知条件に合致する場合は、前記会員が使用する会員端末に、当回レースの発走時刻を通知する通知部と、を備えることを特徴とする。
【０００９】
装置の一観点は、公営競技の発走時刻を通知する発走時刻通知サーバであって、会員の発走時刻通知条件が記憶される通知条件記憶部と、前記会員の投票実績データを取得する投票実績データ取得部と、公営競技情報を取得する公営競技情報取得部と、前記投票実績データ取得部により取得された前記会員の投票実績データと前記公営競技情報取得部により取得された前記公営競技情報とに基づいて、当回レースが、前記通知条件記憶部に記憶された前記会員の発走時刻通知条件に合致するか否かを判定する条件判定部と、前記条件判定部による判定の結果、当回レースが、前記通知条件記憶部に記憶された前記会員の発走時刻通知条件に合致する場合は、前記会員が使用する会員端末に、当回レースの発走時刻を通知する通知部と、を備えることを特徴とする。
【００１０】
方法の一観点は、会員が使用する会員端末と、公営競技の発走時刻を通知する発走時刻通知サーバと、前記会員の投票実績データを管理する投票実績管理サーバと、公営競技情報を管理する公営競技情報管理サーバと、を備える発走時刻通知システムにおいて実行される発走時刻通知方法であって、前記発走時刻通知サーバは、前記会員の発走時刻通知条件を通知条件記憶部に記憶し、前記投票実績管理サーバから前記会員の投票実績データを取得し、前記公営競技情報管理サーバから前記公営競技情報を取得し、前記会員の投票実績データと前記公営競技情報とに基づいて、当回レースが、前記通知条件記憶部に記憶された前記会員の発走時刻通知条件に合致するか否かを判定し、前記判定の結果、当回レースが、前記通知条件記憶部に記憶された前記会員の発走時刻通知条件に合致する場合は、前記会員が使用する会員端末に、当回レースの発走時刻を通知する、ことを特徴とする。
【発明の効果】
【００１１】
開示のシステム、装置、及び方法は、レース中継の見逃しを防止することができる、という効果を奏する。
【図面の簡単な説明】
【００１２】
【図１】一実施の形態に係る発走時刻通知システムの全体構成を示す図である。
【図２】会員管理サーバの発走時刻通知機能を実現する機能ブロック図である。
【図３】会員端末の表示画面に表示され、会員による発走時刻通知条件の登録を行うための入力操作が行われたときの通知条件指定画面の一例を示す図である。
【図４】会員端末の表示画面に表示され、会員によるインターネット投票を行うための入力操作が行われたときの投票確認画面の一例を示す図である。
【図５】通知条件記憶部に記憶された会員の発走時刻通知条件の一例を示す図である。
【図６】発走時刻通知システム（会員管理サーバ）において実行される発走時刻通知処理の流れを示すフローチャートである。
【図７】発走時刻通知処理に含まれる会員情報処理の流れを示すフローチャートである。
【図８】会員端末に送信された発走時刻通知メールの一例を示す図である。
【図９】情報処理装置のハードウェア構成例を示す図である。
【発明を実施するための形態】
【００１３】
以下、図面を参照しながら本発明の実施の形態について説明する。なお、以下では、公営競技として競馬を例に説明するが、競輪、競艇、又はオートレース等の競馬以外の公営競技であってもよいことは勿論である。
【００１４】
図１は、一実施の形態に係る発走時刻通知システムの全体構成を示す図である。
図１に示したように、発走時刻通知システム１は、会員管理サーバ２、投票サーバ３、及び情報サーバ４を含むインターネット投票システム５と、複数の会員端末６と、投票用中央集計装置７と、情報用中央集計装置８とを備える。
【００１５】
会員管理サーバ２、投票サーバ３、及び情報サーバ４は、インターネット投票システム５内のネットワーク９に接続されている。ネットワーク９は、例えば、ＷＡＮ（Wide Area Network）又はＬＡＮ（Local Area Network）である。投票サーバ３は、更に専用回線１０を介して投票用中央集計装置７と接続されている。情報サーバ４は、更に専用回線１１を介して情報用中央集計装置８と接続されている。投票用中央集計装置７と情報用中央集計装置８は、専用回線１２を介して接続されている。ネットワーク９は、インターネット１３に接続されている。複数の会員端末６は、インターネット１３に接続されている。
【００１６】
会員端末６は、会員が使用する端末であり、例えば、スマートフォン、携帯電話機、又はＰＣ等である。例えば、会員端末６は、会員情報（発走時刻通知条件を含む）の登録又は更新を行うための入力操作が会員により行われると、その入力操作に応じた会員情報を会員管理サーバ２へ送信する。なお、発走時刻通知条件の登録を行うための入力操作は、会員端末６の表示画面に表示される後述の通知条件指定画面を介して行われる。また、会員端末６は、会員の発走時刻通知条件に合致するレースの発走時刻が会員管理サーバ２から通知されると、その発走時刻を会員端末６の表示画面に表示する。また、会員端末６は、インターネット投票を行うための入力操作が会員により行われると、その入力操作に応じた投票データを投票サーバ３へ送信する。そして、その投票データが許可されたか否かの判定結果（投票結果）を投票サーバ３から受信し、その投票結果を表示画面に表示する。また、会員端末６は、会員によるインターネット投票を行うための入力操作において、投票レース（会員が投票するレース）の発走時刻通知を受けるための入力操作が行われていた場合には、その旨の情報（個別通知指定情報）を投票データに付加して投票サーバ３へ送信する。なお、投票レースの発走時刻通知を受けるための入力操作は、会員端末６の表示画面に表示される後述の投票確認画面を介して行われる。
【００１７】
会員管理サーバ２は、会員情報を管理する。例えば、会員管理サーバ２は、会員の入力操作に応じて会員端末６から送信された会員情報を受信すると、受信した会員情報を、その会員の会員情報として登録する、又は、受信した会員情報に基づいて、その会員の登録されている会員情報を更新する。また、会員管理サーバ２は、会員の個別通知指定情報を投票サーバ３から受信すると、その個別通知指定情報を、その会員の会員情報に追加する。また、会員管理サーバ２は、当回レースが会員の発走時刻通知条件に合致したときに、その会員が使用する会員端末６に、当回レースの発走時刻を通知する。以下では、このような通知機能を、発走時刻通知機能という。なお、会員管理サーバ２は、発走時刻通知サーバの一例である。
【００１８】
投票サーバ３は、会員の投票実績データを管理する。例えば、投票サーバ３は、会員の入力操作に応じて会員端末６から送信された投票データを受信すると、その投票データを投票用中央集計装置７へ送信する。そして、その投票データが許可されたか否かの判定結果を投票用中央集計装置７から受信し、その判定結果を、その会員端末６へ送信する。また、その投票データが許可されていたときは、その投票データを、その会員の投票実績データとして管理する。投票実績データは、投票レース、投票賭式、投票目（買い目）、購入金額（投票金額）等を含む。また、その投票データに個別通知指定情報が付加されていた場合には、その個別通知指定情報を会員管理サーバ２へ送信する。なお、投票サーバ３は、投票実績管理サーバの一例である。
【００１９】
情報サーバ４は、情報用中央集計装置８から定期的又は不定期に公営競技情報を取得し、管理する。公営競技情報は、開催されるレースに関する情報を含み、詳しくは、出走馬名、出場騎手名、レースのグレード（レースグレード）、オッズ値、発走時刻、馬場状態、出走馬頭数、出走馬体重、出走馬の負担重量等を含む。なお、情報サーバ４は、公営競技情報管理サーバの一例である。
【００２０】
投票用中央集計装置７は、投票サーバ３から送信された投票データを受信すると、その投票データを許可するか否かを判定し、その判定結果を投票サーバ３へ送信する。また、投票用中央集計装置７は、許可した投票データを集計し、管理する。
【００２１】
情報用中央集計装置８は、公営競技情報を集計し、管理する。例えば、情報用中央集計装置８は、オッズ値の算出を行う。
【００２２】
なお、投票用中央集計装置７と情報用中央集計装置８は、専用回線１２を介して、各々が管理する情報を相互にやり取りすることができる。
【００２３】
図２は、会員管理サーバ２の発走時刻通知機能を実現する機能ブロック図である。
図２に示したように、会員管理サーバ２は、サーバ通信部２１、通知条件記憶部２２、投票実績データ取得部２３、公営競技情報取得部２４、条件判定部２５、及び発走時刻通知部２６を備える。
【００２４】
サーバ通信部２１は、投票サーバ３及び情報サーバ４との間で通信を行うための通信Ｉ／Ｆ（インタフェース）である。
【００２５】
通知条件記憶部２２は、会員の発走時刻通知条件を記憶する。発走時刻通知条件は、馬名、騎手名、レースグレード、購入金額、及び配当予想金額の指定や、個別通知指定等を含み、詳細は後述する。なお、発走時刻通知条件は、会員管理サーバ２が管理する会員情報の一部でもある。
【００２６】
投票実績データ取得部２３は、サーバ通信部２１を介して、投票サーバ３から会員の投票実績データ（投票レース、投票賭式、投票目、購入金額等）を取得する。
【００２７】
公営競技情報取得部２４は、サーバ通信部２１を介して、情報サーバ４から公営競技情報（出走馬名、出場騎手名、レースグレード、オッズ値、発走時刻等）を取得する。
【００２８】
条件判定部２５は、投票実績データ取得部２３により取得された会員の投票実績データと、公営競技情報取得部２４により取得された公営競技情報とに基づいて、当回レースが通知条件記憶部２２に記憶された会員の発走時刻通知条件に合致するか否かを判定する。
【００２９】
発走時刻通知部２６は、条件判定部２５による判定の結果、当回レースが通知条件記憶部２２に記憶された会員の発走時刻通知条件に合致する場合は、その会員が使用する会員端末６に、当回レースの発走時刻を通知する。本実施形態では、この通知を電子メール（発走時刻通知メール）により行う。
【００３０】
なお、発走時刻通知システム１において、会員情報、投票データ、投票実績データ、及び投票サーバ３から会員管理サーバ２へ送信される個別通知指定情報の各々には、会員の識別子である会員ＩＤ（identification）が付加されており、これにより、会員情報、投票データ、投票実績データ、及び個別通知指定情報の各々が、いずれの会員のものであるかを特定することができる。また、会員管理サーバ２が管理する会員情報は、会員の電子メールアドレスを含み、これにより、会員は、その電子メールアドレス宛に送信された電子メールを、その会員が使用する会員端末６で受信、閲覧することができる。
【００３１】
図３は、会員端末６の表示画面に表示され、会員による発走時刻通知条件の登録を行うための入力操作が行われたときの通知条件指定画面の一例を示す図である。
【００３２】
図３に示したように、通知条件指定画面６１は、馬名指定欄６１ａ、騎手名指定欄６１ｂ、レースグレード指定欄６１ｃ、購入金額指定欄６１ｄ、配当予想指定欄６１ｅ、通知時期指定欄６１ｆ、確定ボタン６１ｇ、及び戻るボタン６１ｈを有する。
【００３３】
馬名指定欄６１ａは、指定する馬名の入力欄である。この入力欄に入力された馬名の馬が出走するレースが発走時刻の通知対象とされる。図３に示した例では、「カステライチバン」を含む５頭の馬名が入力されているので、その５頭のいずれかの馬が出走するレースが、発走時刻の通知対象とされる。
【００３４】
騎手名指定欄６１ｂは、指定する騎手名の入力欄である。この入力欄に入力された騎手名の騎手が出場するレースが、発走時刻の通知対象とされる。図３に示した例では、「山田 一郎」を含む５人の騎手名が入力されているので、その５人のいずれかの騎手が出場するレースが、発走時刻の通知対象とされる。
【００３５】
レースグレード指定欄６１ｃは、指定するレースグレードの入力欄である。本実施形態では、「ＧＩ」、「ＧＩＩ」、及び「ＧＩＩＩ」の各々のレースグレードに対し、通知要又は通知不要を選択することにより、指定するレースグレードの入力が行われる。図３に示した例では、「ＧＩ」及び「ＧＩＩ」のレースグレードに対し通知要が選択されているので、「ＧＩ」又は「ＧＩＩ」のレースグレードのレースが、発走時刻の通知対象とされる。
【００３６】
購入金額指定欄６１ｄは、指定する購入金額の入力欄である。本実施形態では、会員が投票した１レース当たりの全賭式の合計購入金額が設定金額以上という条件（「該当レース全額」）と、会員が投票した１レース当たりの１つの賭式の合計購入金額が設定金額以上という条件（「１賭式」）と、会員が投票した所謂１点買いの購入金額が設定金額以上という条件（「１投票額」）の各々に対し、通知要又は通知不要を選択すると共に、通知要を選択した条件の設定金額を入力することによって、指定する購入金額の入力が行われる。図３に示した例では、「該当レース全額」及び「１賭式」に対して通知要が選択されていると共に、「該当レース全額」の設定金額として「３００００」が入力され、「１賭式」の設定金額として「５０００」が入力されているので、「該当レース全額」が「３００００」円以上、又は、「１賭式」が「５０００」円以上のレースが通知対象とされる。
【００３７】
配当予想指定欄６１ｅは、指定する配当予想に関する入力欄である。本実施形態では、会員が投票した１レース当たりの全賭式の合計配当予想金額が設定金額以上という条件（「該当レース全額」）と、会員が投票した１レース当たりの全賭式の合計配当予想金額が購入金額を上回るという条件（「投資回収見込み」）と、会員が購入した投票券に万馬券があるという条件（「万馬券あり」）の各々に対し、通知要又は通知不要を選択すると共に、「該当レース全額」に対して通知要を選択した場合には、更に、その設定金額の入力を行うことによって、指定する配当予想に関する入力が行われる。図３に示した例では、「該当レース全額」及び「投資回収見込み」に対して通知要が選択されていると共に、「該当レース全額」の設定金額として「５００００」が入力されているので、「該当レース全額」が「５００００」円以上、又は、「投資回収見込み」のレースが通知対象とされる。
【００３８】
通知時期指定欄６１ｆは、指定する通知時期の入力欄である。本実施形態では、通知対象とされたレースの発走時刻を、その発走時刻の設定時間前に通知するという条件（「発走時刻設定」）と、そのレースの投票締め切り時に通知するという条件（「投票締め切り時」）の各々に対し、通知要又は通知不要を選択すると共に、「発走時刻設定」に対して通知要を選択した場合には、更に、その設定時間の入力を行うことによって、指定する通知時期の入力が行われる。図３に示した例では、「発走時刻設定」に対して通知要が選択されていると共に、その設定時間として「５」が入力されているので、通知対象とされたレースの発走時刻が、その発走時刻の「５」分前に通知されるようになる。
【００３９】
確定ボタン６１ｇは、通知条件指定画面６１の入力内容を確定するためのボタンである。確定ボタン６１ｇが押下（選択）されると、会員端末６は、通知条件指定画面６１の入力内容を確定し、その入力内容を会員管理サーバ２へ送信する。
【００４０】
戻るボタン６１ｈは、前の画面に戻るためのボタンである。
図４は、会員端末６の表示画面に表示され、会員によるインターネット投票を行うための入力操作が行われたときの投票確認画面の一例を示す図である。
【００４１】
図４に示したように、投票確認画面６２には、会員により入力された投票内容６２ａが表示される。また、投票確認画面６２は、チェックボックス６２ｂ、確定ボタン６２ｃ、及び戻るボタン６２ｄを有する。
【００４２】
チェックボックス６２ｂは、投票内容６２ａのレースを発走時刻の通知対象とするか否かを会員が選択（入力）するためのチェックボックスである。会員がチェックボックス６２ｂにチェックを入れると通知対象とされ、チェックを入れないと通知対象とされない。
【００４３】
確定ボタン６２ｃは、投票確認画面６２の投票内容６２ａ及びチェックボックス６２ｂの状態を確定するためのボタンである。確定ボタン６２ｃが押下されると、その確定が行われ、会員端末６は、投票確認画面６２の投票内容６２ａに応じた投票データを投票サーバ３へ送信する。但し、確定ボタン６２ｃの押下時にチェックボックス６２ｂにチェックが入れられていた場合には、投票内容６２ａのレースを発走時刻の通知対象とする旨の情報（個別通知指定情報）を投票データに付加して、投票サーバ３へ送信する。なお、本内容に限らず、例えば、初期状態でチェックボックスにチェックを入れておき、不要な場合に、チェックを外すやり方でもよい。
【００４４】
図５は、通知条件記憶部２２に記憶された会員の発走時刻通知条件の一例を示す図である。なお、図５に示した会員の発走時刻通知条件２２１は、図３に示した通知条件指定画面６１の入力内容に応じたものである。
【００４５】
図５に示したように、通知条件記憶部２２には、１人の会員の発走時刻通知条件２２１として、馬名指定情報２２１ａ、騎手名指定情報２２１ｂ、レースグレード指定情報２２１ｃ、購入金額指定情報２２１ｄ、配当予想指定情報２２１ｅ、及び通知時期指定情報２２１ｆが記憶される。
【００４６】
馬名指定情報２２１ａは、会員が指定した馬名の情報であり、図３に示した通知条件指定画面６１の馬名指定欄６１ａに入力されていた内容に応じた情報である。
【００４７】
騎手名指定情報２２１ｂは、会員が指定した騎手名の情報であり、図３に示した通知条件指定画面６１の騎手名指定欄６１ｂに入力されていた内容に応じた情報である。
【００４８】
レースグレード指定情報２２１ｃは、会員が指定したレースグレードの情報であり、図３に示した通知条件指定画面６１のレースグレード指定欄６１ｃに入力されていた内容に応じた情報である。
【００４９】
購入金額指定情報２２１ｄは、会員が指定した購入金額の情報であり、図３に示した通知条件指定画面６１の購入金額指定欄６１ｄに入力されていた内容に応じた情報である。
【００５０】
配当予想指定情報２２１ｅは、会員が指定した配当予想に関する情報であり、図３に示した通知条件指定画面６１の配当予想指定欄６１ｅに入力されていた内容に応じた情報である。
【００５１】
通知時期指定情報２２１ｆは、会員が指定した通知時期の情報であり、図３に示した通知条件指定画面６１の通知時期指定欄６１ｆに入力されていた内容に応じた情報である。
【００５２】
また、図示は省略するが、通知条件記憶部２２には、１人の会員の発走時刻通知条件２２１として、更に個別通知指定情報も記憶され得る。個別通知指定情報は、会員が投票時に投票レースを発走時刻の通知対象に指定した情報であり、図４に示した投票確認画面６２のチェックボックス６２ｂにチェックが入れられていた場合に、その会員の発走時刻通知条件２２１として追加される。
【００５３】
図６は、発走時刻通知システム１（会員管理サーバ２）において実行される発走時刻通知処理の流れを示すフローチャートである。図７は、発走時刻通知処理に含まれる会員情報処理の流れを示すフローチャートである。図８は、会員端末６に送信された発走時刻通知メールの一例を示す図である。
【００５４】
図６に示した発走時刻通知処理は、当回レースの投票券の発売が開始する毎に開始し、通知条件記憶部２２に発走時刻通知条件が記憶されている会員の各々に対して会員情報処理を完了させる処理である。
【００５５】
図６に示したように、発走時刻通知処理が開始すると、ステップ（以下「Ｓ」という）６０１において、会員管理サーバ２の条件判定部２５は、通知条件記憶部２２に発走時刻通知条件２２１が記憶されている会員の中で、会員情報処理が未完了の会員の１人を処理対象会員とし、その処理対象会員に対する会員情報処理を行う。なお、会員情報処理が未完了の会員とは、未だ処理対象会員とされていない会員、又は、会員情報処理の結果、会員情報処理が未完了とされた会員のことである。
【００５６】
会員情報処理では、図７に示したように、処理が開始すると、Ｓ７０１、Ｓ７０２、Ｓ７０３、及びＳ７０４が開始する。
【００５７】
Ｓ７０１において、条件判定部２５は、処理対象会員の発走時刻通知条件２２１に含まれる馬名指定情報２２１ａを参照する。
【００５８】
Ｓ７０２において、条件判定部２５は、処理対象会員の発走時刻通知条件２２１に含まれる個別通知指定情報を参照する。
【００５９】
Ｓ７０３において、条件判定部２５は、処理対象会員の発走時刻通知条件２２１に含まれる配当予想指定情報２２１ｅを参照する。
【００６０】
Ｓ７０４において、条件判定部２５は、処理対象会員の発走時刻通知条件２２１に含まれる通知時期指定情報２２１ｆを参照する。
【００６１】
Ｓ７０１の後は、Ｓ７０５において、条件判定部２５は、当回レースが、処理対象会員の馬名指定情報２２１ａによる発走時刻通知条件に合致するか否かを判定する。より詳しくは、当回レースの出走馬の中に、処理対象会員の馬名指定情報２２１ａで指定されている馬名のいずれかの馬が含まれているか否かを判定する。なお、当回レースの出走馬は、公営競技情報取得部２４により取得された公営競技情報に基づいて特定することができる。
【００６２】
Ｓ７０５の判定結果がＮＯの場合、Ｓ７０６において、条件判定部２５は、処理対象会員の発走時刻通知条件２２１に含まれる騎手名指定情報２２１ｂを参照する。
【００６３】
Ｓ７０６の後、Ｓ７０７において、条件判定部２５は、当回レースが、処理対象会員の騎手名指定情報２２１ｂによる発走時刻通知条件に合致するか否かを判定する。より詳しくは、当回レースの出場騎手の中に、処理対象会員の騎手名指定情報２２１ｂで指定されている騎手名のいずれかの騎手が含まれているか否かを判定する。なお、当回レースの出場騎手は、公営競技情報取得部２４により取得された公営競技情報に基づいて特定することができる。
【００６４】
Ｓ７０７の判定結果がＮＯの場合、Ｓ７０８において、条件判定部２５は、処理対象会員の発走時刻通知条件２２１に含まれるレースグレード指定情報２２１ｃを参照する。
【００６５】
Ｓ７０８の後、Ｓ７０９において、条件判定部２５は、当回レースが、処理対象会員のレースグレード指定情報２２１ｃによる発走時刻通知条件に合致するか否かを判定する。より詳しくは、当回レースが、処理対象会員のレースグレード指定情報２２１ｃで指定されているレースグレードであるか否かを判定する。なお、当回レースのグレードは、公営競技情報取得部２４により取得された公営競技情報に基づいて特定することができる。
【００６６】
Ｓ７０９の判定結果がＮＯの場合は、Ｓ７１０へ進む。
一方、Ｓ７０５、Ｓ７０７、又はＳ７０９がＹＥＳの場合、Ｓ７１１において、会員管理サーバ２の発走時刻通知部２６は、当回レースの発走時刻を通知する発走時刻通知メールを作成する。
【００６７】
Ｓ７１１の後、Ｓ７１２において、条件判定部２５は、処理対象会員の発走時刻通知条件２２１に含まれる通知時期指定情報２２１ｆで指定されている通知時期に到達したか否かを判定する。
【００６８】
Ｓ７１２の判定結果がＹＥＳの場合、Ｓ７１３において、発走時刻通知部２６は、Ｓ７１１で作成した発走時刻通知メールを、処理対象会員の電子メールアドレス宛に送信する。これにより、処理対象会員の会員端末６へ発走時刻通知メールが送信され、その会員端末６の表示画面に、その発走時刻通知メールの内容が表示される。
【００６９】
Ｓ７１３の後は、処理対象会員に対する会員情報処理が完了済みとしてＳ６０１の処理が終了し、図６のＳ６０２へ進む。
【００７０】
一方、Ｓ７１２の判定結果がＮＯの場合は、処理対象会員に対する会員情報処理が未完了としてＳ６０１の処理が終了し、図６のＳ６０２へ進む。
【００７１】
なお、図７に示した会員情報処理において、Ｓ６０１の処理が終了する時に、未だ実行中の他の処理がある場合は、その実行中の処理が直ちに終了する。また、Ｓ６０１の処理が終了する時は、処理対象会員に対する会員情報処理が完了済みか未完了であるかを示す情報（処理状況のデータ）が、例えば、処理対象会員の会員ＩＤと対応付けられて、会員情報の一部として一時的（少なくとも発走時刻通知処理の実行中の間）に、会員管理サーバ２の図示しないメモリに格納される。これにより、会員情報処理が完了済みの会員であるか未完了の会員であるかを、後に特定することができる。
【００７２】
Ｓ７０２の後は、Ｓ７１４において、条件判定部２５は、当回レースが、処理対象会員の個別通知指定情報による発走時刻通知条件に合致するか否かを判定する。より詳しくは、当回レースが、処理対象会員の個別通知指定情報で指定されているレースであるか否かを判定する。なお、当回レースが何れのレースであるかは、公営競技情報取得部２４により取得された公営競技情報に基づいて特定することができる。
【００７３】
Ｓ７１４の判定結果がＮＯの場合は、Ｓ７１０へ進む。なお、Ｓ７０２において、処理対象会員の発走時刻通知条件２２１に個別通知指定情報が含まれていなかった場合にも、Ｓ７１４の判定結果がＮＯとなる。
【００７４】
一方、Ｓ７１４の判定結果がＹＥＳの場合は、Ｓ７１１へ進み、前述のＳ７１１以降の処理を行う。このときにＳ７１２の判定結果がＹＥＳとなってＳ７１３で送信された発走時刻通知メールを受信した会員端末６には、例えば図８に示した内容の発走時刻通知メールが表示される。
【００７５】
Ｓ７０３の後は、Ｓ７１５において、条件判定部２５は、処理対象会員の発走時刻通知条件２２１に含まれる通知時期指定情報２２１ｆで指定されている通知時期に到達したか否かを判定する。
【００７６】
Ｓ７１５の判定結果がＮＯの場合は、処理対象会員に対する会員情報処理が未完了としてＳ６０１の処理が終了し、図６のＳ６０２へ進む。
【００７７】
一方、Ｓ７１５の判定結果がＹＥＳの場合、Ｓ７１６において、条件判定部２５は、当回レースが、処理対象会員の配当予想指定情報２２１ｅによる発走時刻通知条件に合致するか否かを判定する。より詳しくは、当回レースが、配当予想指定情報２２１ｅで指定されている条件に該当するか否かを判定する。なお、配当予想金額は、投票実績データ取得部２３により取得された処理対象会員の投票実績データと、公営競技情報取得部２４により取得された公営競技情報（オッズ値）に基づいて算出することができる。
【００７８】
Ｓ７１６の判定結果がＮＯの場合は、Ｓ７１０へ進む。
一方、Ｓ７１６の判定結果がＹＥＳの場合、Ｓ７１７において、発走時刻通知部２６は、当回レースの発走時刻を通知する発走時刻通知メールを作成する。
【００７９】
Ｓ７１７の後は、Ｓ７１３へ進み、前述のＳ７１３以降の処理を行う。但し、このときのＳ７１３では、Ｓ７１７で作成された発走時刻通知メールが、処理対象会員の電子メールアドレス宛に送信される。
【００８０】
Ｓ７０４の後は、Ｓ７１８において、条件判定部２５は、処理対象会員の発走時刻通知条件２２１に含まれる通知時期指定情報２２１ｆで指定されている通知時期に到達したか否かを判定する。
【００８１】
Ｓ７１８の判定結果がＮＯの場合は、処理対象会員に対する会員情報処理が未完了としてＳ６０１の処理が終了し、図６のＳ６０２へ進む。
【００８２】
一方、Ｓ７１８の判定結果がＹＥＳの場合、Ｓ７１９において、条件判定部２５は、当回レースが、処理対象会員の購入金額指定情報２２１ｄによる発走時刻通知条件に合致するか否かを判定する。より詳しくは、当回レースが、購入金額指定情報２２１ｄで指定されている条件に該当するか否かを判定する。なお、購入金額は、投票実績データ取得部２３により取得された処理対象会員の投票実績データに基づいて特定することができる。
【００８３】
Ｓ７１９の判定結果がＮＯの場合は、Ｓ７１０へ進む。
一方、Ｓ７１９の判定結果がＹＥＳの場合、Ｓ７２０において、発走時刻通知部２６は、当回レースの発走時刻を通知する発走時刻通知メールを作成する。
【００８４】
Ｓ７２０の後は、Ｓ７１３へ進み、前述のＳ７１３以降の処理を行う。但し、このときのＳ７１３では、Ｓ７２０で作成された発走時刻通知メールが、処理対象会員の電子メールアドレス宛に送信される。
【００８５】
Ｓ７１０においては、条件判定部２５が、Ｓ７０９、Ｓ７１４、Ｓ７１６、及びＳ７１９の判定結果が全てＮＯであるか（全処理完了か）否かを判定する。なお、Ｓ７０９、Ｓ７１４、Ｓ７１６、及びＳ７１９の判定結果が全てＮＯである場合とは、すなわち、当回レースが処理対象会員の発送時刻通知条件に一切合致せず、処理対象会員に対する発走時刻通知メールの送信が行われない場合のことである。
【００８６】
Ｓ７１０の判定結果がＹＥＳの場合は、処理対象会員に対する会員情報処理が完了済みとしてＳ６０１の処理が終了し、図６のＳ６０２へ進む。
【００８７】
一方、Ｓ７１０の判定結果がＮＯの場合は、処理対象会員に対する会員情報処理が未完了としてＳ６０１の処理が終了し、図６のＳ６０２へ進む。
【００８８】
このようにして会員情報処理が行われた後は、図６のＳ６０２において、条件判定部２５は、処理対象会員に対する会員情報処理が完了済みか否かを判定する。
【００８９】
Ｓ６０２の判定結果がＮＯの場合は、Ｓ６０１へ戻る。なお、このときのＳ６０１では、会員情報処理が未完了の次の会員の１人が処理対象会員とされる。但し、会員情報処理が未完了の会員が１人しかいない場合には、その会員が再び処理対象会員とされる。
【００９０】
一方、Ｓ６０２の判定結果がＹＥＳの場合、Ｓ６０３において、条件判定部２５は、通知条件記憶部２２に発走時刻通知条件２２１が記憶されている会員の全てに対する会員情報処理が完了済みか否かを判定する。
【００９１】
Ｓ６０３の判定結果がＮＯの場合は、Ｓ６０１へ戻る。
一方、Ｓ６０３の判定結果がＹＥＳの場合には、図６に示した発走時刻通知処理が終了する。
【００９２】
以上のように、本実施形態によれば、会員が予め所望の発送時刻通知条件を登録しておくことで、その発走時刻通知条件に合致したレースの発走時刻が、その発走時刻通知条件で指定さている時期に自動的に会員に通知されるようになるので、会員が所望のレース中継を見逃してしまうことを防止することができる。
【００９３】
なお、本実施形態において、会員管理サーバ２、投票サーバ３、情報サーバ４、会員端末６、投票用中央集計装置７、情報用中央集計装置８は、例えば、図９に示す情報処理装置によって実現することができる。
【００９４】
図９は、情報処理装置のハードウェア構成例を示す図である。
図９に示したように、情報処理装置は、ＣＰＵ（Central Processing Unit）１０１、メモリ１０２、入力装置１０３、出力装置１０４、外部記憶装置１０５、媒体駆動装置１０６、及びネットワーク接続装置１０７を備える。これらはバス１０８により互いに接続されている。
【００９５】
メモリ１０２は、例えば、ＲＯＭ（Read Only Memory）、ＲＡＭ（Random Access Memory）、フラッシュメモリ等の半導体メモリであり、処理に用いられるプログラム及びデータを格納する。ＣＰＵ１０１は、メモリ１０２を利用してプログラムを実行することにより、様々な処理を行う。
【００９６】
入力装置１０３は、例えば、キーボード、ポインティングデバイス、タッチパネル等であり、ユーザからの指示や情報の入力に用いられる。出力装置１０４は、例えば、表示装置、プリンタ、スピーカ等であり、ユーザへの問い合わせや処理結果の出力に用いられる。
【００９７】
外部記憶装置１０５は、例えば、磁気ディスク装置、光ディスク装置、光磁気ディスク装置、テープ装置等である。この外部記憶装置１０５には、ハードディスクドライブも含まれる。情報処理装置は、この外部記憶装置１０５にプログラム及びデータを格納しておき、それらをメモリ１０２にロードして使用することができる。
【００９８】
媒体駆動装置１０６は、可搬型記録媒体１０９を駆動し、その記録内容にアクセスする。可搬型記録媒体１０９は、メモリデバイス、フレキシブルディスク、光ディスク、光磁気ディスク等である。この可搬型記録媒体１０９には、Compact Disk Read Only Memory （ＣＤ−ＲＯＭ）、Digital Versatile Disk（ＤＶＤ）、Universal Serial Bus（ＵＳＢ）メモリ、ＳＤカードメモリ等も含まれる。情報処理装置は、この可搬型記録媒体１０９にプログラム及びデータを格納しておき、それらをメモリ１０２にロードして使用することができる。
【００９９】
このように、各種処理に用いられるプログラム及びデータを格納するコンピュータ読み取り可能な記録媒体には、メモリ１０２、外部記憶装置１０５、及び可搬型記録媒体１０９のような、物理的な（非一時的な）記録媒体が含まれる。
【０１００】
ネットワーク接続装置１０７は、ネットワークに接続され、通信に伴うデータ変換を行う通信インタフェースである。情報処理装置は、プログラム及びデータを外部の装置からネットワーク接続装置１０７を介して受け取り、それらをメモリ１０２にロードして使用することもできる。
【０１０１】
このような図９に示した情報処理装置により会員管理サーバ２を実現する場合、ＣＰＵ１０１は、メモリ１０２を利用してプログラムを実行することにより、会員管理サーバ２の処理を行う。メモリ１０２、外部記憶装置１０５、及び可搬型記録媒体１０９は、会員管理サーバ２が管理する会員情報、投票実績データ取得部２３により取得される投票実績データ、公営競技情報取得部２４により取得される公営競技情報等も格納する。ネットワーク接続装置１０７は、ネットワーク９に接続される。
【０１０２】
また、図９に示した情報処理装置により投票サーバ３を実現する場合、ＣＰＵ１０１は、メモリ１０２を利用してプログラムを実行することにより、投票サーバ３の処理を行う。メモリ１０２、外部記憶装置１０５、及び可搬型記録媒体１０９は、投票サーバ３が管理する会員の投票実績データ等も格納する。ネットワーク接続装置１０７は、ネットワーク９及び専用回線１０に接続される。
【０１０３】
また、図９に示した情報処理装置により情報サーバ４を実現する場合、ＣＰＵ１０１は、メモリ１０２を利用してプログラムを実行することにより、情報サーバ４の処理を行う。メモリ１０２、外部記憶装置１０５、及び可搬型記録媒体１０９は、情報サーバ４が管理する公営競技情報等も格納する。ネットワーク接続装置１０７は、ネットワーク９及び専用回線１１に接続される。
【０１０４】
また、図９に示した情報処理装置により会員端末６を実現する場合、ＣＰＵ１０１は、メモリ１０２を利用してプログラムを実行することにより、会員端末６の処理を行う。ネットワーク接続装置１０７は、インターネット１３に接続される。なお、会員端末６が例えばスマートフォンや携帯電話機である場合は、外部記憶装置１０５が省かれてもよい。
【０１０５】
また、図９に示した情報処理装置により投票用中央集計装置７を実現する場合、ＣＰＵ１０１は、メモリ１０２を利用してプログラムを実行することにより、投票用中央集計装置７の処理を行う。メモリ１０２、外部記憶装置１０５、及び可搬型記録媒体１０９は、投票用中央集計装置７が管理する投票データ等も格納する。ネットワーク接続装置１０７は、専用回線１０及び専用回線１２に接続される。
【０１０６】
また、図９に示した情報処理装置により情報用中央集計装置８を実現する場合、ＣＰＵ１０１は、メモリ１０２を利用してプログラムを実行することにより、情報用中央集計装置８の処理を行う。メモリ１０２、外部記憶装置１０５、及び可搬型記録媒体１０９は、情報用中央集計装置８が管理する公営競技情報等も格納する。ネットワーク接続装置１０７は、専用回線１１及び専用回線１２に接続される。
【０１０７】
また、本実施形態において、インターネット投票システム５が、ネットワーク９に接続されたサーバを更に含むように構成して、そのサーバが、会員管理サーバ２の発送時刻通知機能を備えるようにしてもよい。
【０１０８】
以上、本発明の実施の形態を説明したが、本発明は、上述した実施の形態に限定されることなく、本発明の要旨を逸脱しない範囲内で種々の改良・変更が可能である。
【符号の説明】
【０１０９】
１          発走時刻通知システム
２          会員管理サーバ
３          投票サーバ
４          情報サーバ
５          インターネット投票システム
６          会員端末
７          投票用中央集計装置
８          情報用中央集計装置
９          ネットワーク
１０、１１、１２  専用回線
１３        インターネット
２１        サーバ通信部
２２        通知条件記憶部
２３        投票実績データ取得部
２４        公営競技情報取得部
２５        条件判定部
２６        発走時刻通知部
６１        通知条件指定画面
６１ａ      馬名指定欄
６１ｂ      騎手名指定欄
６１ｃ      レースグレード指定欄
６１ｄ      購入金額指定欄
６１ｅ      配当予想指定欄
６１ｆ      通知時期指定欄
６１ｇ      確定ボタン
６１ｈ      戻るボタン
６２        投票確認画面
６２ａ      投票内容
６２ｂ      チェックボックス
６２ｃ      確定ボタン
６２ｄ      戻るボタン
１０１      ＣＰＵ
１０２      メモリ
１０３      入力装置
１０４      出力装置
１０５      外部記憶装置
１０６      媒体駆動装置
１０７      ネットワーク接続装置
１０８      バス
１０９      可搬型記録媒体
２２１      発走時刻通知条件
２２１ａ    馬名指定情報
２２１ｂ    騎手名指定情報
２２１ｃ    レースグレード指定情報
２２１ｄ    購入金額指定情報
２２１ｅ    配当予想指定情報
２２１ｆ    通知時期指定情報
【図１】
2019079393.tif 000003
【図２】
2019079393.tif 000004
【図３】
2019079393.tif 000005
【図４】
2019079393.tif 000006
【図５】
2019079393.tif 000007
【図６】
2019079393.tif 000008
【図７】
2019079393.tif 000009
【図８】
2019079393.tif 000010
【図９】
2019079393.tif 000011